(57)【要約】      （修正有）【課題】棚を配置する際の設計自由度を大きくしつつ、迅速な重ね合わせが可能な棚付きの椅子を提供する。【解決手段】棚付き椅子Ａは、収納姿勢Ｐにおいて座５を動作させ、同形状を有する他の椅子本体Ｃに対し少なくとも一部を重ね合わせた状態で収納することが可能に構成された椅子本体Ｃと、椅子本体Ｃが使用姿勢にあるときに座５の下方に荷物を載置し得る荷物載置面７０ａを形成するとともに、収納姿勢Ｐとする際の座５の動作により座５の下面側に添接する位置まで動作する棚板を有する荷物載置棚とを具備する。【選択図】図２
2011067343.tif 000002
【特許請求の範囲】
【請求項１】
収納姿勢において座を動作させ、同形状を有する他の椅子本体に対し少なくとも一部を重ね合わせた状態で収納することが可能に構成された椅子本体と、
前記椅子本体が使用姿勢にあるときに前記座の下方に荷物を載置し得る荷物載置面を形成するとともに、前記収納姿勢とする際に前記座の下面側に添接する位置まで動作し得る棚板を有する荷物載置棚とを具備することを特徴とする棚付き椅子。
【請求項２】
前記荷物載置棚が、前記座の回転動作により前記座の下面側に沿う位置に位置付けられるものである請求項１記載の棚付き椅子。
【請求項３】
前記棚板の後端と前記座の後端との間を遮蔽する後方遮蔽板をさらに具備している請求項１又は２記載の棚付き椅子。
【請求項４】
前記荷物載置棚が、前記収納姿勢において上方に動作する前記座の所定箇所から前記棚板の一端部を懸吊する第１の懸吊部を有している請求項１、２又は３記載の棚付き椅子。
【請求項５】
前記第1の懸吊部が、前記座の所定箇所と前記棚板の一端部とにそれぞれ枢支された第1のリンク部材である請求項４記載の棚付き椅子。
【請求項６】
前記荷物載置棚が、前記所定箇所から離間したに対向する他の所定箇所から前記棚板の一端部に対向する他端部を懸吊する第２の懸吊部を有している請求項４又は５記載の棚付き椅子。
【請求項７】
前記椅子本体が前脚及び後脚を有するとともに前記座の前端部近傍を前記所定箇所に位置付けたものであって、
前記荷物載置棚が、前記棚板の一端部に対向する他端部を前記後脚に動作可能に接続する後脚接続部を有している請求項４、５又は６記載の棚付き椅子。
【請求項８】
前記後脚接続部が、前記棚板の他端部を前記後脚に対して回転可能に構成している請求項７記載の椅子。
【請求項９】
前記椅子本体が前記座を支持するための座フレームを有するとともに前記座の前端部近傍を前記所定箇所に位置付けたものであって、
前記荷物載置棚が、前記棚板の一端部に対向する他端部を前記座フレームに動作可能に接続する座フレーム接続部を有している請求項４、５又は６記載の棚付き椅子。
【請求項１０】
前記椅子本体が、収納姿勢において座の前端を跳ね上げることにより収納姿勢とし、当該収納姿勢で椅子本体同士を前後方向にネスティング可能に構成されたものである請求項１、２、３、４、５、６、７又は８記載の棚付き椅子。
【請求項１１】
前記椅子本体が、左右の前脚及び後脚間において座の前部を支持する座受フレームを有するものであり、前記棚板を前記座受フレームと前記後脚間に配置している請求項１０記載の棚付き椅子。
【請求項１２】
前記椅子本体が、収納姿勢において前記座及び前記脚部を折り畳み可能に構成されたものである請求項１、２、３、４、５、６、７又は８記載の棚付き椅子。
【発明の詳細な説明】
【技術分野】
【０００１】
本発明は、同じ方向に並べたり重ねたりすることにより効率良く収納し得る椅子に関するものである。
【背景技術】
【０００２】
従来、同形状の椅子同士を例えば前後方向に重ね合わせることによって複数の椅子を省スペースで収納可能な、所謂ネスティング可能な椅子が提案されている。そしてこのようなネスティング可能な椅子は、例えば会議室や集会施設といった、多くの人間が介する場所に導入することを主な目的としている。そしてこのような椅子の多くは、斯かる会議室等に集まった参加者の所有物を参加者の近くに配置し得るように、椅子自体に小型の天板を取り付けたものや、椅子の座の下側の空間に鞄等の荷物を載置するための棚が設けられたものが、これまでに提案されている（例えば、特許文献１参照）。そして、この特許文献１に記載された棚付き椅子は、棚板を位置付ける具体的な箇所や棚板の具体的な形状を工夫することにより、ネスティング時においても棚を椅子本体から外すことなく、複数の棚付き椅子を効率良く収容し得るものとなっている。
【先行技術文献】
【特許文献】
【０００３】
【特許文献１】特開２００５−７３７８９号公報
【発明の概要】
【発明が解決しようとする課題】
【０００４】
しかしながら、特許文献１に記載したようなものでは、ネスティング時において、棚同士を正確にネスティングさせなければならないため、棚板の具体的な配置や大きさを精密に設定しなければならないのが現状である。また当該棚を取り付けたようなものでは、ネスティング時の位置決めにおいても、単に椅子のフレーム同士をネスティングするのに比べて、フレームの外形内に設けた棚同士をネスティングさせなければならない。そのため、多数の椅子を片付ける際にネスティングさせていく作業において、常に椅子同士を精密に重ね合わせることを意識しなければならないものとなる。その結果、多数の椅子を撤収する作業を迅速に行ない難いといった事が起こり得る。
【０００５】
また他方、折畳み椅子に関しても、折畳み時には脚が側面視重複する位置に折り畳まれるため、棚板の具体的な配置を精密に設定しなければならない点は上記同様である一方、折畳み椅子を利用する際に荷物を載置する適当な箇所の形成が求められているのが現状である。
【０００６】
本発明は、このような不具合に着目したものであり、棚を配置する際の設計自由度を大きくしつつ、迅速な重ね合わせが可能な棚付きの椅子を提供することを目的としている。
【課題を解決するための手段】
【０００７】
本発明は、このような目的を達成するために、次のような手段を講じたものである。すなわち本発明に係る棚付き椅子は収納姿勢において座を動作させ、同形状を有する他の椅子本体に対し少なくとも一部を重ね合わせた状態で収納することが可能に構成された椅子本体と、前記椅子本体が使用姿勢にあるときに前記座の下方に荷物を載置し得る荷物載置面を形成するとともに、前記収納姿勢とする際に前記座の下面側に添接する位置まで動作し得る棚板を有する荷物載置棚とを具備することを特徴とする。
【０００８】
ここで、「前記収納姿勢とする際に前記座の下面側に添接する位置まで動作し得る」とは、収納姿勢とする際の座の動作に棚板の動作が連動する態様のみならず、座の動作に応じて任意に棚板を座に添接させる態様をも含む概念である。
【０００９】
このようなものであれば、座の動作自体を利用することによって収納姿勢では棚板が座の下面側に添接するために、椅子本体と棚板とを重ね合わせた状態で運搬、保管することができる。そのため、椅子本体同士の一部を重ね合わせて収納する際にも棚板同士が干渉し難く、その結果コンパクトに重ね合わせることができる。加えて、棚板が収納姿勢では座に近接した位置まで移動することによって、使用姿勢での棚板の位置を設定する設計自由度を有効に向上させる事が可能となる。
【００１０】
使用姿勢から収納姿勢への交互の動作による棚板の動作を繰り返しても、正確且つ安定した動作をなし得るようにするためには、荷物載置棚が、座の回転動作により座の下面側に沿う位置に位置付けられるもの、すなわち椅子本体が、座の回転動作を伴って収納姿勢となるもので有ることが好ましい。
【００１１】
そして荷物載置面から椅子本体の後方へ荷物が不意に落ちてしまうことを回避するとともに、着座者にそのように荷物が落ちるという不安を感じさせることを有効に回避するためには、棚板の後端と座の後端との間を遮蔽する後方遮蔽板をさらに設けたものとすることが好ましい。
【００１２】
そして、棚板を確実且つ安定して座の下面側に添接させるための構成として、荷物載置棚を、収納姿勢において上方に動作する座の所定箇所から棚板の一端部を懸吊する第１の懸吊部を有するものとした構成を挙げることができる。
【００１３】
また当該第1の懸吊部の具体的な実施態様としては、当該第1の懸吊部を、座の所定箇所と棚板の一端部とにそれぞれ枢支された第1のリンク部材とする事が望ましい。
【００１４】
そして、棚板を座にのみ関連付けることにより、既存の椅子に対して座を加工するのみて適用し得るようにするためには、荷物載置棚を、所定箇所から離間したに対向する他の所定箇所から棚板の一端部に対向する他端部を懸吊する第２の懸吊部を有したものとすることが好ましい。
【００１５】
また棚板をより安定した状態で支持するための構成としては、椅子本体を前脚及び後脚を有したものとするとともに座の前端部近傍を所定箇所に位置付ける一方で、荷物載置棚を、棚板の一端部に対向する他端部を後脚に動作可能に接続する後脚接続部を有したものとすることが好ましい。
【００１６】
そして当該後脚接続部の具体的な構成としては、後脚接続部を、棚板の他端部を後脚に対して回転可能に構成していることが好ましい。
【００１７】
また棚板は上述の通り座や後脚に関連付けたものとする他にも、椅子本体が座を支持するための座フレームを有するとともに座の前端部近傍を所定箇所に位置付けたものであれば、荷物載置棚を、棚板の一端部に対向する他端部を座フレームに動作可能に接続する座フレーム接続部を有したものとすればよい。
【００１８】
そして、椅子本体が、収納姿勢において座の前端を跳ね上げることにより収納姿勢とし、当該収納姿勢で椅子本体同士を前後方向にネスティング可能に構成されたものであれば、実際に会議室や集会場等で好適に使用され得るものとなり、当該会議室や集会場での撤収作業を速やかに行い得るものとなる。
【００１９】
さらに上述したネスティング可能な椅子本体において座の跳ね上げ動作に干渉し難い棚板の設定位置としては、椅子本体が有している、左右の前脚及び後脚間において座の前部を支持する座受フレームと、後脚との間の位置にとする態様を挙げることができる。
【００２０】
また他方、椅子本体が、収納姿勢において座及び脚部を折り畳み可能に構成された、所謂折畳み椅子であれば、折畳み椅子を多数保持している会議室や集会場において、会議や集会時の荷物の取り回しを便利に行えるものとなる。
【発明の効果】
【００２１】
本発明によれば、椅子本体同士の一部を重ね合わせて収納する際にコンパクトにすることができる。加えて、棚板が収納姿勢では座に近接した位置まで移動することによって、上記の重ね合わせの際に棚板同士が干渉し難くなるので、使用姿勢での棚板の位置を設定する設計自由度を有効に向上させた棚付き椅子を提供することが可能となる。
【図面の簡単な説明】
【００２２】
【図１】本発明の第一実施形態に係る棚付き椅子の側面図。
【図２】図１に係る動作説明図。
【図３】同実施形態に係る棚付き椅子の正面図。
【図４】同実施形態に係る荷物載置棚の外観図。
【図５】同実施形態に係る要部を模式的に示す図。
【図６】本発明の第二実施形態に係る棚付き椅子の側面図。
【図７】図１に係る動作説明図。
【図８】同実施形態に係る棚付き椅子の正面図。
【図９】同実施形態に係る荷物載置棚の外観図。
【図１０】同実施形態の変形例に係る側面図。
【図１１】本発明の第３実施形態に係る側面図。
【図１２】図１１に係る動作説明図。
【図１３】同実施形態に係る荷物載置棚の外観図。
【図１４】同実施形態に係る要部を模式的に示す図。
【発明を実施するための形態】
【００２３】
＜第一実施形態＞
以下、本発明の一実施の形態について図面を参照して説明する。
【００２４】
本実施形態に係る棚付き椅子Ａは、図１、図２及び図３に示すように、会議室等で好適に用いられている、着座者が簡易に使用し得るものであり、使用姿勢（Ｑ）では着座者は好適な座り心地を維持しつつ、図２に示すような座５の前端を上方に回転させて跳ね上げ動作をさせた収納姿勢（Ｐ）では、図示しない同形状の他の椅子本体Ｃを同じ向きとして前後方向に一部を重ね合わせることによって、所謂ネスティング可能に構成した椅子本体Ｃを主体としたものである。
【００２５】
ここで、本実施形態に係る棚付き椅子Ａは、収納姿勢（Ｐ）において座５を動作させ、同形状を有する他の椅子本体Ｃに対し少なくとも一部を重ね合わせた状態で収納することが可能に構成された椅子本体Ｃと、椅子本体Ｃが使用姿勢（Ｑ）にあるときに座５の下方に荷物を載置し得る荷物載置面７０ａを形成するとともに、収納姿勢（Ｐ）とする際の座５の動作により座５の下面側に添接する位置まで動作する棚板７０を有する荷物載置棚７とを具備することを特徴とするものである。以下、当該棚付き椅子Ａの構成について詳述する。
【００２６】
椅子本体Ｃは、下端部にそれぞれキャスタＫを取り付けた左右それぞれ一対の脚フレームである後脚フレーム１と、当該後脚フレーム１の中間部分に接続して前方及び下方へＬ字状に延伸させて設けた前脚フレーム２と、当該前脚フレーム２間に架け渡されて座５の前部分を支持し得る座前フレーム３と、後脚フレーム１の上端部付近において左右に横架しつつ、座５の後端部５ａを回転可能に支持するための座後フレーム４とを主体としたものである。そして座後フレーム４に対して回転可能に座５を取り付けるとともに、後脚フレーム１の上端部に取り付けた背凭れ６をそれぞれ取り付けてなるものである。
【００２７】
後脚フレーム１は、左右対称に一対設けられた例えば金属製のパイプ材を主体としたものであり、下端に取り付けたキャスタＫＫから真上に若干寸法延伸した箇所に曲がり部１ａを設けている。そして、当該曲がり部１ａから上部を前上方にさらにパイプ材を直線状に延伸させた直線部１ｂとし、当該直線部１ｂの中間部分に前脚フレーム２を溶接等によって固定した固定部１ｃを設けている。そして本実施形態では、当該後脚フレーム１の上端よりも若干下方には、座５の後端部５ａを回転可能に支持する座後フレーム４を溶接等によって横架させている。また本実施形態では、後脚フレーム１の上端には背凭れ６を取り付けている。
【００２８】
前脚フレーム２は、後脚フレーム１に同じく左右対称に一対設けられた例えば金属製のパイプを主体としたものであり、下端に取り付けたキャスタＫＫから真上に若干寸法延伸した箇所に曲がり部２ａを設け、当該曲がり部２ａから上部を延伸させて設けた前脚本体２ｂと、前脚本体２ｂの上端から後方へ略水平に延伸させるとともに、前端部近傍において座前フレーム３を溶接等によって固定している座支持部２ｃとを有し、当該座支持部２ｃの後端において後脚フレーム１に連結させている。
【００２９】
座前フレーム３は、一対の前脚フレーム２２における前端よりの箇所を例えば溶接によって接合されたものであり、当該両端から幅方向中央へ向かうにつれて上方へ盛り上がるように湾曲させながら左右の前脚フレーム２２を横架させているものである。当該座前フレーム３は、このように中央部分を上方に盛り上げることによって、座５の前半部分を効率的に支持し得る構造となっている。そして座前フレーム３には中央部を平坦に形成し座５に当接させるための当接部３ａを形成している。そして当該当接部３ａには座５に接触した際の防音や、座５の裏面側への衝撃を緩衝するためのカバー３ｂを取り付けている。
【００３０】
座後フレーム４は、後脚フレーム１の固定部１ｃより上方にある上端付近で左右の後脚フレーム１を直線状に横架させたものであり、座５の後端部５ａを回動可能に枢着させたものとしている。また本実施形態に係る椅子は、当該座５の後端部５ａとの間に図示しない節度機構を設けることによって、収納姿勢（Ｐ）において跳ね上げられた座５を位置決めし得るものとなっているが、斯かる構成の具体的な説明は省略するものとする。
【００３１】
そして座５は、上述の通り後端部５ａが座後フレーム４に対して回動可能に取り付けられたものであり、座５の下面側には使用姿勢（Ｑ）において当接部３ａにカバー３ｂを介した状態で好適に押圧し得るように複数のリブを形成して設けた押圧部５ｂを有している。そして当該座５は、押圧部５ｂ近傍の両側において荷物載置棚７を取り付けるための前取付部５ｃと、後端部５ａ近傍において同じく荷物載置棚７を取り付けるための後取付部５ｄとをそれぞれ設けている。
【００３２】
押圧部５ｂは、その内面形状を、カバー３ｂの外形よりも若干前後に大きく寸法を設定した形状としている。斯かる形状とすることにより、座５を下げてカバー３ｂに当接する際は勿論、着座者の体重により座５が撓んでも押圧部５ｂは、当接部３ａ並びにカバー３ｂに対して前後にずれてしまう事無く上方から安定して押圧し得る状態を常に実現しているのものである。そして斯かる点により、着座中に棚板７０が座５の撓み等により不必要に動くこと等を有効に回避し、安定した使用姿勢（Ｑ）を維持している。
【００３３】
前取付部５ｃは、特に図５に示すように、座５の下面側に形成された底面視コの字状に垂下させた対をなすリブを主体としたものであり、その内部空間５ｃ１において後述する荷物載置棚７の第１リンク部材７１の軸部７１ａを収容するとともに、当該内部空間の前後端において第１リンク部材７１の前後端面に当接することにより回転を禁止し得る対をなす当接面５ｃ２と、当該当接面５ｃ２が第１リンク部材７１に当接しているときに第１リンク部材７１の両側面に接することにより第１リンク部材７１をがたつき無く位置決めする挟持面５ｃ３と、第１リンク部材７１が動作しているときに当該第１リンク部材に接するように突出させて設けた突起５ｃ４とを有している。当該突起５ｃ４は、第１リンク部材７１に接し得る角部分にそれぞれアールを形成することにより、第１リンク部材７１の円滑な動作を促し得るものとなっている。また本実施形態では後取付部５ｄについては単に第２リンク部材７２を軸着するのみの構造を適用している。
【００３４】
しかして本実施形態に係る棚付き椅子Ａは上述の通り、椅子本体Ｃが使用姿勢（Ｑ）にあるときに座５の下方に荷物を載置し得る荷物載置面７０ａを形成するとともに、収納姿勢（Ｐ）とする際に座５の下面側に沿う位置まで動作する棚板７０を有する荷物載置棚７を具備することを特徴とするものである。
【００３５】
荷物載置棚７は、図１、図２、図３及び図４に示すように、荷物載置面７０ａを有している棚板７０と、当該棚板７０の前端を懸吊するための第１の懸吊部たる第１のリンク部材７１と、棚板７０の後端を懸吊するための第２の懸吊部たる第２のリンク部材７２と、座５と棚板７０との間の空間の後方を外部から遮蔽するための後方遮蔽板７３とを有している。
【００３６】
棚板７０は、図１に示すように、側面視、座受フレームたる座前フレーム３と後脚フレーム１間に配置されるように設定されたものであり、特に図４に示すように、前側の間隔を狭く設定している前脚フレーム２の形状に応じて、前端部を幅方向に窄ませた形状を有している。そして当該棚板７０は、上面側に、おもに鞄といった荷物を載置し得る荷物載置面７０ａと、当該荷物載置面７０ａから後端部５ａに掛けて隆起させて荷物の後方への脱落を防止する脱落防止部７０ｂと、前端部において第１のリンク部材７１を軸着する前軸着部７０ｃと、後端において第２のリンク部材７２を軸着する後軸着部７０ｄとを有している。少なくとも荷物載置面７０ａは、荷物載置面７０ａ上に安定して荷物が置けるように中央部分の略全域に亘って平坦に形成されており、その周囲は荷物が不用意にずれて落下しないように、中央部分よりも若干上方に湾曲させて形成している。なお当該棚板７０の形状は、図示のような形状でなくても、使用姿勢（Ｑ）並びに収容姿勢（Ｐ）、そして使用姿勢（Ｑ）から収容姿勢（Ｐ）に至るまでの動作時にフレーム３とさえ干渉しない形状であれば、例えば平面視長方形や台形など、どんな形でも良い。
【００３７】
第１のリンク部材７１は、上端に位置付けられた軸部７１ａを座５の下面側の前取付部５ｃに軸着するととも下端に位置付けられた長穴７１ｂを棚板７０の前軸着部７０ｃに軸着することによって、使用姿勢（Ｑ）では棚板７０を座５の下方に懸吊しつつ、収納姿勢（Ｐ）では棚板７０を座５に添接するように懸吊するものである。
【００３８】
第２のリンク部材７２は、上端を座５の下面側の後取付部５ｄに軸着するとともに下端を棚板７０の後軸着部７０ｄに軸着するものである。そして本実施形態ではこれら一対の第２のリンク部材７２間に後方遮蔽板７３を一体に設けている。
【００３９】
後方遮蔽板７３は、棚板７０と座５との間の空間の後方を遮蔽することによって、荷物載置面７０ａ上の荷物の後方からのアクセスを禁止し得るものである。なお本実施形態では後方遮蔽板７３を第２のリンク部材７２に一体に設けたものとしているが、勿論別体として形成した物でも良い。また当該後方遮蔽板７３は例えば座５や、後脚フレーム１側に設けたものとしてもよい。
【００４０】
そして本実施形態に係る棚付き椅子Ａは、図１に示す使用姿勢（Ｑ）では棚板７０は、座５から直下する位置、具体的には座前フレーム３と後脚との間の位置に位置付けられることにより、好適に荷物の出し入れや載置を行い得る状態となっている。このとき図５（ａ）に示すように、第１リンク部材７１は前取付部５ｃの当接面５ｃ２に当接することにより完全に内部空間５ｃ１に収容された回動終端に位置している。併せて第１リンク部材７１は同図（ａ）に示すとおり、挟持面５ｃ２に両側から挟持され、その結果、棚板７０は座５の直下に正確に位置付けられている。また同図（ａ）に示す状態では、前軸着部７０ｃは、棚板７０自体の自重によって、第１リンク部材７１の長穴７１ｂの下端に位置付けられている。
【００４１】
一方、座５の前側を上方に跳ね上げると、棚板７０の前端は座５の動作に応じて第１のリンク部材７１によって上方に吊り上げられながら側面視回転する。このとき、図５（ｂ）に示すように、第１リンク部材７１は前取付部５ｃに突設した突起５ｃ４を乗り越えながら回転する。そして斯かる回転動作の終端では第１リンク部材７１が突起５ｃ４を乗り越えるとともに、前軸着部が長穴７１ｂ内を他端すなわち上端へ向けて摺動することにより、棚板７０は図２に示すように座５の下面に添接する状態が形成・維持される。すなわちコンパクトな収納が可能な収納姿勢（Ｐ）が実現される。このとき図５（ｂ）に示すように、第１リンク部材７１は前取付部５ｃを経過的に弾性変形させながら当接面５ｃ１から離れて回動することとなるが、対をなす突起５ｃ４間に挟まれることによって不意にぐらついたりガタついたりすることなく静かに動作する。なお、本実施形態では図示しないが、例えば前取付部５ｃのみならず、後取付部５ｄについても図５に示す形状を適用すれば、例えば計４本の両リンク部材７１、７２がそれぞれ座５に対して平行に位置決めすることができる。すなわち、椅子本体Ｃを使用姿勢（Ｑ）とした場合に図２にように棚板７０を下降させて荷物載置面７０ａを表出させた状態と、棚板７０を座５に添設させたままの状態とを選択することが可能となる。つまり、着座者は棚板７０が不要であれば、棚板７０を座５の裏面に添設させたまま着座することも可能である。
【００４２】
以上のような構成とすることにより、本実施形態に係る棚付き椅子Ａは、座５の動作自体を利用することによって収納姿勢（Ｐ）では棚板７０が座５の下面側に添接するために、椅子本体Ｃと棚板７０とを合わせた形状をコンパクトなものとなっている。そのため、椅子本体Ｃ同士の一部を重ね合わせて収納する、すなわちネスティングの際にもコンパクトにすることを実現している。
【００４３】
使用姿勢（Ｑ）から収納姿勢（Ｐ）への交互の動作による棚板７０の動作を繰り返し安定させるようにするために本実施形態では、椅子本体Ｃが、座５の回転動作を伴って収納姿勢（Ｐ）となるものを採用している。そして後方遮蔽板７３をさらに設けることにより、本実施形態に係る棚付き椅子Ａは、荷物載置面７０の後方へ荷物が落ちてしまう事や、このように荷物が落ちる事や、場合によっては、着座者以外のものによる荷物載置面７０ａへのアクセスといった事態を着座者に懸念させることを回避し得るものとなっている。
【００４４】
そして、棚板７０を確実且つ安定して座５の下面側に添接させるための構成として本実施形態では、収納姿勢（Ｐ）において上方に動作する座５の所定箇所から棚板７０の一端部を懸吊する第１の懸吊部たる第１のリンク部材７１を採用している。
【００４５】
特に本実施形態では、棚板７０を座５にのみ関連付けている本実施形態では、所定箇所から離間したに対向する他の所定箇所、すなわち座５の後取付部５ｄから棚板７０の他端部である後端を懸吊する第２の懸吊部を設けたものとして、座５に対する加工にみによって荷物載置棚７を設けることを実現している。
【００４６】
＜第二実施形態＞
以下に、本発明の第二実施形態並びに変形例について説明する。本変形例において、上記実施形態に相当する構成要素に対しては同じ記号を付すと共に、詳細な説明を省略するものとする。
【００４７】
本実施形態に係る棚付き椅子Ａは、図６、図７、図８及び図９に示すように、上記第一実施形態と略同形状の椅子本体Ｃを採用したものであるが、後脚フレーム１に棚板枢着部１ｄを設けるとともに、荷物載置棚７が後脚フレーム１に回転可能に接続する後脚接続部７４を設けたものとしている。
【００４８】
そして図７及び図９に示すように、本実施形態では、棚板７０の前半部分を座５の下面の形状に応じた形状に適宜成型するとともに、棚板７０の後端を、後脚接続部７４の位置から下方に切り欠いた退避部７０ｅをさらに設けることにより、図７に示す収納姿勢（Ｐ）において棚板７０が座５の下面側に略隙間無く密着し得るものとして、ネスティングする他の棚付き椅子Ａに干渉しないよう退避し得るようにしている。
【００４９】
斯かる構成とすることにより、棚板７０を後脚に関連付けて、より安定して支持し得るものとするとともに、上記実施形態同様、安定した収納性と動作の安定性を獲得したものとなっている。
【００５０】
＜変形例＞
また、本発明に係る棚付き椅子Ａは、上記２つの実施形態に限定されるものではなく、図１０に示されるような態様を採用しても良い。すなわち、棚板７０の後端を座後フレーム４に動作可能に接続する座フレーム接続部７５を設けたものであっても良い。
【００５１】
具体的には同図に示すように、第２のリンク部材７２を座５に関連付けた第１実施形態とは異なり、第２のリンク部材７２を座後フレーム４に軸着した態様としてもよい。このようなものであっても、荷物載置面７０ａを安定して形成することが可能である。
【００５２】
＜第三実施形態＞
また本実施形態に係る棚付き椅子Ｂは、上記実施形態並びに変形例に示されたようなネスティング可能な椅子に適用した態様に限定されるものではない。
【００５３】
すなわち本実施形態に係る棚付き椅子Ｂは、図１１、図１２、図１３及び図１４に示すように、椅子本体Ｃ１が、収納姿勢（Ｐ）において座５の端部を跳ね上げるとともに、前後の脚フレーム１、２が折り畳み可能に構成されたものである。
【００５４】
椅子本体Ｃ１は、後脚フレーム１と前脚フレーム２とを相対的に回転可能に形成するとともに座５の両端に垂下させた側板５１を前脚フレーム２に軸着しつつ後脚フレーム１で支持することによって、図１１に示す使用姿勢（Ｑ）を形成するとともに座５を跳ね上げながら前脚フレーム２と後脚フレーム１とを相対的に回転させて、図１２に示す収納姿勢（Ｐ）をとり得るものである。
【００５５】
そして本実施形態に係る荷物載置棚７は、特に図１３に示すように、平板状の棚板７０と、当該棚板７０の前後端並びに座５の下面側に対して回転可能に接続する第１、第２のリンク部材７２を、上記第一実施形態同様に設けたものである。そして本実施形態においても、第２のリンク部材７２間に後方遮蔽板７３を一体に架け渡して設けている。
【００５６】
そして本実施形態では、図１１に示す使用姿勢（Ｑ）では棚板７０が座５の直下に好適に配置されるとともに、図１２に示す収納姿勢（Ｐ）では、側面視座５に収容され得る構成となっている。
【００５７】
しかして本実施形態では、図１１、図１２及び図１４に示すように、側板の内側に第１、第２リンク部材７１、７２を位置決めするための位置決め凹部５ｅを側板５１の前後にそれぞれ形成している。当該位置決め凹部は、棚板７０を座の下方に露出させ得る位置、すなわち第１、第２リンク部材７１、７２を側板５１から垂下させた状態で位置決めし得る垂下凹部５ｅ１と、第１、第２リンク部材７１、７２を略水平な姿勢として側板５１間の空間内に収容するための収容凹部５ｅ２とを有している。
【００５８】
座５の下面すなわち裏面側である側板５１間の空間に、上開きに開口した箱形状の棚板７０及び第１、第２リンク部材７１、７２が嵌り込むことによって椅子を収納姿勢（Ｐ）から着座し得る状態とするのみの状態では、第１、第２リンク部材７１、７２が収容凹部５ｅ２に嵌り込んで位置保持される。すなわち収納姿勢（Ｐ）から折畳みを解除するのみでは棚板７０は座５の下方に出てこず、そして必要な時に棚板７０を下方に引き出すと、第１、第２リンク部材７１、７２と収容凹部との嵌合が外れて、棚板７０が下方に垂下するように第１、第２リンク部材７１、７２が側板５１に対して回転し、しかる後に第１、第２リンク部材が今度は側板に形成された垂下凹部５ｅ１に嵌合することにより、棚板７０を使用できる状態、すなわち図１１に示す使用姿勢（Ｐ）となる。
【００５９】
斯かる構成により、棚板７０を通常は座５の裏面側に位置保持しておき、所要の場合のみ利用し得る態様を実現している。そのため、椅子本体Ｃ１を折り畳んで運搬する際も、棚板７０が不意に出てくる事はなく、運搬や保管に際して邪魔になることはない。
【００６０】
このようなものであっても、上記各実施形態同様に座５の下方に荷物を好適に載置し得る荷物載置面７０ａを形成し得るものとなっている。そうすることによって、このような折畳み椅子である棚付き椅子Ｂを多数保持している会議室や集会場において、会議や集会時の荷物の取り回しを便利に行えるものとなる。
【００６１】
以上、本発明の実施形態について説明したが、各部の具体的な構成は、上述した実施形態のみに限定されるものではなく、本発明の趣旨を逸脱しない範囲で種々変形が可能である。
【００６２】
例えば、上記実施形態で開示した座を、当該座の少なくとも中央部を透明な樹脂や多数の孔を開けた樹脂板、メッシュなどで構成したものとすれば、座下部に位置する棚板の荷物が透けて見えるため、忘れ物防止に役立つものとなる。また上記実施形態では後脚フレームに棚板を直接取り付けた態様を開示したが、勿論、第２のリンク部材を介して棚板を懸吊する態様としてもよい。また上記各実施形態では棚板を平板状のものとして開示したが、例えば硬質の線材を網状に重ねて構成したものであったり、張り地を張ることによって荷物載置面を形成したものであったり、荷物を載置し得る既存の構成であれば、種々適用し得るものである。さらに本発明の第１の懸吊部、第２の懸吊は、ともにリンク部材に限定されることはなく、板状のもの、帯状、紐状のものであっても、棚板を懸吊し得るものであればよい。またさらに、棚板を使用姿勢で位置決めしておく格別の構成要素を設けたものであってもよい。さらに、各部の具体的な態様は上記実施形態のものに限定されることはなく、既存のものを含め、種々の態様のものを適用することができる。
【００６３】
その他、各部の具体的構成についても上記実施形態に限られるものではなく、本発明の趣旨を逸脱しない範囲で種々変形が可能である。
【符号の説明】
【００６４】
４…座フレーム（座後フレーム）
５…座
７…荷物載置棚
７０…棚板
７０ａ…荷物載置面
７１…第１の懸吊部（第１のリンク部材）
７３…後方遮蔽板
７４…後脚接続部
７５…座フレーム接続部
Ａ、Ｂ…棚付き椅子
Ｃ、Ｃ１…椅子本体
Ｐ…収納姿勢
Ｑ…使用姿勢
【図１】
2011067343.tif 000003
【図２】
2011067343.tif 000004
【図３】
2011067343.tif 000005
【図４】
2011067343.tif 000006
【図５】
2011067343.tif 000007
【図６】
2011067343.tif 000008
【図７】
2011067343.tif 000009
【図８】
2011067343.tif 000010
【図９】
2011067343.tif 000011
【図１０】
2011067343.tif 000012
【図１１】
2011067343.tif 000013
【図１２】
2011067343.tif 000014
【図１３】
2011067343.tif 000015
【図１４】
2011067343.tif 000016